(57)【要約】【課題】無線通信装置を設置する特別な構成を設けることなく、加熱調理器の構造を変更することなく、無線通信装置を良好な通信を行える位置に設置可能な加熱調理器を提供する。【解決手段】加熱調理器（１）では、無線通信アダプタを設置するための設置空間を、ドア（３）のフレーム（３ｂ）内部に、または、表示操作部（５）の駆動回路を収納する非金属の回路収納部（５０）に設ける。【選択図】図１
2020079702.tif 000002
【特許請求の範囲】
【請求項１】
マグネトロンを備えた加熱調理器において、
被加熱物を収容する加熱庫と、
前記加熱庫を開閉可能に設けられ、窓部及び当該窓部を囲む非金属の枠部を有する扉部と、
表示を行い操作を受け付ける表示操作部と、を備え、
前記表示操作部の駆動回路を収納する非金属の回路収納部は、前記枠部の内部として、前記扉部と一体に形成され、
外部と通信する無線通信装置を前記表示操作部の駆動回路と共に前記回路収納部に設けたことを特徴とする加熱調理器。
【請求項２】
水蒸気を発生させる蒸気発生装置、及び当該蒸気発生装置に補給する水分を貯蔵する容器であり外部に取り外し可能な主に非金属からなる貯水容器と、を備え、
前記貯水容器を前記回路収納部の下方に設けたことを特徴とする請求項１に記載の加熱調理器。
【発明の詳細な説明】
【技術分野】
【０００１】
本発明は、マグネトロンを備えた加熱調理器であって、外部との通信が可能な無線通信装置が設置される加熱調理器に関する。
【背景技術】
【０００２】
近年、無線通信機能を搭載した家電、いわゆるネットワーク家電を用いたネットワーク家電システムが普及しつつある。ネットワーク家電システムでは、ネットワーク家電とタブレット端末やスマートフォン等の通信端末装置とを通信ネットワークを介して通信可能とし、通信端末装置にてネットワーク家電を遠隔制御したり、ネットワーク家電の動作状態を確認したりすることができる。
【０００３】
このようなネットワーク家電の１つとしマグネトロンを備えた加熱調理器がある。マグネトロンによる加熱調理とは、マイクロ波を発生させるいわゆる電子レンジ機能による加熱調理のことである。ところで、マグネトロンを備えた加熱調理器は、マイクロ波を遮断するため側面が金属筐体にて形成されている。よって、無線通信装置（無線通信アダプタ）を金属筐体に覆われた位置に設置すると、通信電波が遮蔽されるため、通信距離が低下するなど通信エラーが生じる。そこで、例えば、特許文献１のように、筐体に樹脂製の無線通信装置収容部を特別に設けたり、特許文献２のように、樹脂製の脚部内部に通信用アンテナを設けたりすることで、無線通信装置の通信性を確保している。
【先行技術文献】
【特許文献】
【０００４】
【特許文献１】特開２００５−２６０８９１号公報（２００５年９月２２日公開）
【特許文献２】特許第４４６９５１３号（２０１０年３月５日登録）
【発明の概要】
【発明が解決しようとする課題】
【０００５】
上述のように従来のマグネトロンを備えた加熱調理器では、無線通信装置の通信性を確保するため、加熱調理器において、樹脂製の無線通信装置収容部を特別に設けたり、加熱調理器の構造を変更したりする必要がある。これは、製造工程やコストの増加に繋がる。
【０００６】
そこで、本発明は上記課題を解決するために鑑みなされ、その目的は、加熱調理器に無線通信装置を設置するための特別な構成を設けることなく、また、加熱調理器の構造を変更することなく、無線通信装置を良好な通信を行える位置に設置可能な加熱調理器を提供することにある。
【課題を解決するための手段】
【０００７】
上記の課題を解決するために、本発明の一態様に係る加熱調理器は、マグネトロンを備えた加熱調理器において、被加熱物を収容する加熱庫と、前記加熱庫を開閉可能に設けられ、窓部及び当該窓部を囲む非金属の枠部を有する扉部と、表示を行い操作を受け付ける表示操作部と、を備え、外部と通信する無線通信装置を設置するための設置空間を、前記枠部の内部に、または、前記表示操作部の駆動回路を収納する非金属の回路収納部に、設けている。
【０００８】
また、本発明の一態様に係る加熱調理器は、マグネトロンを備えた加熱調理器において、被加熱物を収容する加熱庫と、前記加熱庫を開閉可能に設けられ、窓部及び当該窓部を囲む非金属の枠部を有する扉部と、表示を行い操作を受け付ける表示操作部と、水蒸気を
発生させる蒸気発生装置、及び当該蒸気発生装置に補給する水分を貯蔵する容器であり外部に取り外し可能な主に非金属からなる貯水容器と、を備え、外部と通信する無線通信装置を設置するための設置空間を、前記枠部の内部に、前記表示操作部の駆動回路を収納する非金属の回路収納部に、または前記貯水容器と接する位置に、設けている。
【発明の効果】
【０００９】
本発明の一態様によれば、加熱調理器に無線通信装置を設置するための特別な構成を設けることなく、また、加熱調理器の構造を変更することなく、無線通信装置を良好な通信を行える位置に設置可能な加熱調理器を提供できるという効果を奏する。
【図面の簡単な説明】
【００１０】
【図１】本発明の実施形態１に係る加熱調理器の正面図であり、（ａ）はドアを閉めた状態、（ｂ）はドアを開けた状態を示す。
【図２】本発明の実施形態２に係る加熱調理器のドアを開けた状態の正面図である。
【図３】本発明の実施形態３に係る加熱調理器を示す図であり、（ａ）は、正面図、（ｂ）は、簡略化した透視図である。
【図４】（ａ）〜（ｄ）は、本発明の実施形態３に係る加熱調理器における無線通信アダプタと水タンクとの配置例を示す図である。
【図５】本発明の実施形態５に係る加熱調理器のドアを開けた状態の正面図である。
【図６】本発明の実施形態５に係る別の加熱調理器のドアを開けた状態の正面図である。
【発明を実施するための形態】
【００１１】
〔実施形態１〕
以下、本発明の一実施形態について、図１に基づき詳細に説明する。
【００１２】
図１は、本実施形態の加熱調理器１の正面図であり、（ａ）はドア（扉部）３を閉めた状態を、（ｂ）はドア３を開けた状態を示す。加熱調理器１は、マイクロ波を発生するマグネトロンＭを備え、加熱調理として電子レンジ調理を行う加熱調理器である。加熱調理器１には、電子レンジ調理機能に加えてオーブン調理機能等を有していてもよい。但し、本実施形態では、特に断らない限り、加熱調理は全て電子レンジ機能によるものとする。
【００１３】
図１に示すように、加熱調理器１は、直方体形状のケーシング２と、ドア３とを備え、ケーシング２で囲まれる空間が、被加熱物を収容するための加熱庫２ａとなっている。なお、マグネトロンＭはケーシング２内部（例えば、加熱庫２ａを挟んでドア３と反対側）に備えられている。
【００１４】
ドア３は、加熱庫２ａと対向する位置に配置される窓（窓部）３ａと、窓３ａを囲むフレーム（枠部）３ｂとを備える。窓３ａには加熱庫２ａを覗けるように、耐熱ガラスあるいは耐熱性の透明樹脂が嵌め込まれている。
【００１５】
フレーム３ｂは、非金属材料、例えば、樹脂から形成されている。ドア３は、加熱庫２ａを開閉可能に設けられており、下端の辺を略中心に回動し、上側にはドア３を開閉するためのユーザ補助としてハンドル４が取り付けられている。本実施形態では、ドア３の開閉は、ドア３の下端側の辺を略中心に回動して行われる構成であるが、これに限定されず、例えば、ドア３の左端または右端の辺を中心に回動してドア３が開閉する構成であってもよい。
【００１６】
また、ドア３の加熱庫２ａと対向する面に、加熱庫２ａの入り口を覆うサイズのシールド材料が形成されている。
【００１７】
加熱調理器１は、さらに、加熱調理器１に関する各種情報等を表示し、加熱調理器１への操作の受け付ける表示操作部５を備える。表示操作部５は、例えば、タッチパネルとして構成されていてもよい。また、表示操作部５にダイヤルやボタンが設けられていてもよい。
【００１８】
表示操作部５の駆動回路は、非金属の回路収納部５０に収納されている。回路収納部５０には、加熱調理による熱の影響を低減するために、冷却ファン（図示せず）が設けられ、温度を下げる設計がなされている。回路収納部５０は、図１に示すように、ドア３のフレーム３ｂ内部の一部として形成されている。本実施形態では、表示操作部５はドア３と一体に形成されている。あるいは、回路収納部５０はドア３と一体に形成されていると言うこともできる。
【００１９】
さらに、加熱調理器１では、外部と通信する無線通信アダプタ（無線通信装置）を設置するための設置空間を、フレーム３ｂ内部、あるいは、回路収納部５０に設ける。なお、図１では、加熱調理器１に無線通信アダプタを設置していない状態を示しており、よって、無線通信アダプタは図示されていない。
【００２０】
上記したように、ドア３及び表示操作部５は、非金属材料にて形成されている。ここで、一般に、マグネトロンを備えた加熱調理器では、ドア及び表示操作部はユーザが直接触れるため、温度上昇を抑えるように非金属材料にて覆われている。そのため、ドアのフレームが非金属材料にて形成されている、あるいは、表示操作部の駆動回路を収納する回路収納部が非金属材料にて形成されているのは、マグネトロンを備えた加熱調理器の一般的な構成である。よって、加熱調理器１は、マグネトロンを備えた加熱調理器の一般的な構成に、特別な構成を設けることなく、また、構造を変更することなく、非金属の部材にて覆われた位置に無線通信アダプタの設置空間を設けることができる。
【００２１】
特に、回路収納部５０には冷却ファンが設けられているため、無線通信アダプタの設置空間を回路収納部５０に設けることで、無線通信アダプタへの熱の影響をより低減させることができる。
【００２２】
以上から分かるように、加熱調理器１は、無線通信アダプタを設置するための特別な構成を設けることなく、また、構造を変更することなく、無線通信アダプタが良好な通信を行えるようにすることができる。また、上記設置空間に無線通信アダプタを設置すると、無線通信アダプタは、金属に覆われず、さらに、熱の影響も受けにくいため、良好な通信を行うことが可能となる。
【００２３】
加熱調理器１は、無線通信アダプタを設置空間に設置することにより、外部の通信ネットワークに接続する、いわゆるネットワーク家電として機能する。なお、無線通信アダプタとしては、公知ものを用いることができ、例えば、無線通信回路とアンテナとが一体型の装置を用いてもよい。
【００２４】
なお、上記ではマグネトロンを備えた加熱調理器１について説明を行ったが、無線アダプタの設置空間として、ドアのフレーム内部、あるいは、表示操作部の回路収納部に設ける構成は、マグネトロンを備えていない加熱調理器、例えばオーブン、オーブントースター等にも適用可能である。
【００２５】
〔実施形態２〕
本発明の他の実施形態について図２に基づいて説明すれば、以下の通りである。なお、説明の便宜上、前記実施形態にて説明した部材と同じ機能を有する部材については、同じ
符号を付記し、その説明を省略する。図２は、本実施形態の加熱調理器１ａのドア３を開けた状態の正面図である。
【００２６】
実施形態１では、表示操作部５はドア３と一体に形成されていたが、本実施形態では、図３に示すように、表示操作部５はケーシング２に取り付けられた状態となっており、ドア３と一体になっていない。
【００２７】
加熱調理器１ａでは、外部と通信する無線通信アダプタを設置する設置空間をフレーム３ｂ内部、または回路収納部５０に設ける。加熱調理器１ａは、加熱調理器１と同様、無線通信アダプタを設置するための特別な構成を設けることなく、また、構造を変更することなく、無線通信アダプタが良好な通信を行えるようにすることができる。
【００２８】
〔実施形態３〕
本発明の別の実施形態について図３及び４に基づいて説明すれば、以下の通りである。なお、説明の便宜上、前記実施形態にて説明した部材と同じ機能を有する部材については、同じ符号を付記し、その説明を省略する。
【００２９】
図３は、本実施形態の加熱調理器１０を示す図であり、（ａ）は、正面図、（ｂ）は、簡略化した透視図である。なお、この透視図では、簡略のため、加熱調理器１０の構成部材を全て直方体で描画している。
【００３０】
本実施形態の加熱調理器１０は、実施形態１で説明した加熱調理器１の構成及び機能に加え、図３の（ｂ）に示すように、蒸気発生装置８を備え、蒸気発生装置８にて発生する蒸気を用いたオーブン調理機能を有している。なお、オーブン調理機能を実現するヒータ等の加熱装置については図示を省略する。
【００３１】
蒸気発生装置８は、水タンク（貯水容器）６から供給された水を加熱して飽和水蒸気を発生させ、加熱庫２ａに供給する装置である。なお、加熱に使用された水蒸気を回収するため、ケーシング２の下部には露受容器７が着脱可能に取り付けられている。蒸気発生装置８、また、蒸気発生装置８にて発生する蒸気を用いたオーブン調理方法については、公知技術を用いることができる。
【００３２】
水タンク６は、蒸気発生装置８に補給する水分を貯蔵する容器である。水タンク６は、加熱調理器１０から取り出し、水を入れることが可能に形成されている。水タンク６は、本実施形態では樹脂にて形成されている。水タンク６は、主に非金属であればよく、全部が非金属であってもよいし、一部が金属で形成されていても構わない。なお、後述の様に、水タンク６と接する位置に無線アダプタを設置する場合には、水タンク６の金属部分は、無線アダプタの通信を阻害しない程度に形成および配置されているのが好ましい。
【００３３】
また、水タンク６近傍には、水タンク６を冷却するファン（図示せず）が設けられている。水タンク６近傍の冷却ファンは、加熱調理における熱により水タンク６が変形、劣化、破損等するのを抑制するため、水タンク６近傍の熱を下げるのに使用される。
【００３４】
本実施形態では、加熱調理器１０では、外部と通信する無線通信アダプタを設置するための設置空間を、フレーム３ｂ内部、回路収納部５０、または、水タンク６に接する位置に設ける。なお、図３の（ｂ）の加熱調理器１０ａの簡略化した透視図は、無線通信アダプタ２０が水タンク６に接する位置に設置された状態を示している。無線通信アダプタ２０は、無線通信回路とアンテナとが一体型となった公知のものとする。
【００３５】
加熱調理器１０において、無線通信アダプタを設置するための設置空間を、フレーム３
ｂ内部、または、回路収納部５０に設けることによる効果は実施形態１の加熱調理器１と同様である。
【００３６】
水タンク６は、外部に取り外し可能であり主に非金属からなるため、これに接して無線通信アダプタの設置空間に設けた場合、ここに設置された無線通信アダプタは、水タンク６を通して外部と通信を行うことになる。また、水タンク６には水分が補給されるため低温である。さらに、水タンク６周囲には、一般に、加熱調理による熱の影響を低減するために冷却ファン等が設けられ、温度を下げる設計がなされている。よって、無線通信アダプタを設置するための設置空間を主に非金属からなる水タンク６と接する位置に設けた場合にも、無線通信アダプタに対する金属と熱の影響を低減することができる。
【００３７】
よって、水蒸気を発生させる蒸気発生装置８を備えた加熱調理器１０ａにおいても、無線通信アダプタ２０を設置するための特別な構成を設けることなく、また、構造を変更することなく、無線通信アダプタ２０が良好な通信を行える加熱調理器を提供することが可能となる。
【００３８】
ここで、水タンク６の下部に無線通信アダプタの設置空間が設けられていると、水タンク６からの水漏れによる無線通信アダプタへの悪影響が懸念される。しかしながら、図３の（ｂ）に示すように、水タンク６の上部ではそのような心配はない。また、加熱庫２ａの下部は他より熱の影響をより受けにくい領域である。よって、無線通信アダプタの設置空間は、水タンク６の上部かつ加熱庫２ａの下部に位置する空間が好ましい。
【００３９】
無線通信アダプタの設置空間が水タンク６と接する位置に設けられている例を、具体的に説明する。図４の（ａ）〜（ｄ）は、水タンク６と無線通信アダプタ２０と位置関係の例を示す図であり、無線通信アダプタ２０とを上から見た図である。
【００４０】
図４の（ａ）では、無線通信アダプタ２０の設置空間は、水タンク６ａの奥（水タンク６ａの背面側）の空間である。よって、この場合、無線通信アダプタ２０は水タンク６ａの奥にて水タンク６ａと接する。図４の（ｂ）では、無線通信アダプタ２０の設置空間は、水タンク６ｂに囲まれた空間である。よって、この場合、無線通信アダプタ２０は水タンク６ｂに囲まれた空間にて水タンク６ｂと接する。図４の（ｃ）では、無線通信アダプタ２０の設置空間は、水タンク６ｃの側部の空間である。よって、この場合、無線通信アダプタ２０は水タンク６ｃの側面にて水タンク６ｃと接する。図４の（ｄ）では、無線通信アダプタ２０の設置空間は、水タンク６ｄの上部である。よって、この場合、無線通信アダプタ２０は水タンク６ｄの奥にて水タンク６ｄと接する。このように、無線通信アダプタ２０の設置空間は水タンク６と接する位置であれば限定はされない。
【００４１】
加熱調理器１は、無線通信アダプタ２０を設置することにより、外部の通信ネットワークに接続する、いわゆるネットワーク家電として機能する。
【００４２】
さらに、加熱調理器１０は、過熱水蒸気を使用して加熱調理を行うことが可能に構成されていてもよい。この場合、蒸気発生装置８が発生した蒸気を、過熱水蒸気生成用のヒータ（図示せず）によって加熱し、この過熱水蒸気を加熱庫２ａに充満させて、被加熱物を加熱する。
【００４３】
また、本実施形態の加熱調理器１０において、実施形態２と同様に、表示操作部５が、ドア３とは別に設けられていてもよい。また、ドア３の左端または右端の辺を中心に回動してドア３が開閉する構成であってもよい。
【００４４】
なお、上記ではマグネトロン及び蒸気発生装置を備えた加熱調理器１０について説明を
行ったが、無線アダプタの設置空間として、ドアのフレーム内部、あるいは、表示操作部の回路収納部に設ける構成は、マグネトロンを備えず、蒸気発生装置を備えた、加熱調理器、例えばオーブン等にも適用可能である。
【００４５】
〔実施形態４及び５〕
本発明のさらに別の実施形態について図５及び６に基づいて説明すれば、以下の通りである。なお、説明の便宜上、前記実施形態にて説明した部材と同じ機能を有する部材については、同じ符号を付記し、その説明を省略する。
【００４６】
図５は、実施形態４の加熱調理器１０ａのドア３を開けた状態の正面図である。また、図６は、実施形態５の加熱調理器１０ｂのドア３を開けた状態の正面図である。
【００４７】
加熱調理器１０ａは、実施形態３の加熱調理器１０に対して、水タンク６ｅの設置位置が異なる。これ以外の構成は、実施形態３の加熱調理器１０と同様である。水タンク６ｅは樹脂から形成され、加熱庫２ａの側部に、外部に取り外し可能に取り付けられている。
【００４８】
実施形態５の加熱調理器１０ｂでは、図６に示すように、表示操作部５はケーシング２に取り付けられた状態となっており、ドア３と一体になっていない。これ以外の構成は、実施形態４の加熱調理器１０ａと同様である。なお、実施形態５の加熱調理器１０ｂも加熱調理器１０ａと同様に、水タンク６ｆは加熱庫２ａの側部に設置されている。
【００４９】
加熱調理器１０ａ及び加熱調理器１０ｂでは、外部と通信する無線通信アダプタを設置するための設置空間を、フレーム３ｂ内部、回路収納部５０、または水タンク６ｅ（６ｆ）に接する位置に設ける。加熱調理器１０ａ及び加熱調理器１０ｂは、加熱調理器１０と同様、無線通信アダプタを設置するための特別な構成を設けることなく、また、構造を変更することなく、無線通信アダプタが良好な通信を行えるようにすることができる。
【００５０】
〔まとめ〕
本発明の態様１に係る加熱調理器（１）は、マグネトロン（Ｍ）を備えた加熱調理器において、被加熱物を収容する加熱庫（２ａ）と、前記加熱庫を開閉可能に設けられ、窓部（窓３ａ）及び当該窓部を囲む非金属の枠部（フレーム３ｂ）を有する扉部（ドア３）と、表示を行い操作を受け付ける表示操作部（５）と、を備え、外部と通信する無線通信装置を設置するための設置空間を、前記枠部の内部に、または、前記表示操作部の駆動回路を収納する非金属の回路収納部に、設けている。
【００５１】
上記構成では、無線通信装置を設置するための設置空間を、非金属の枠部の内部に、または、表示操作部の駆動回路を収納する非金属の回路収納部に、設ける。ここで、一般に、扉部及び表示操作部はユーザが直接触れるため、温度上昇を抑えるように非金属材料にて覆われている。よって、扉部の枠部が非金属材料にて形成されている、あるいは、表示操作部の駆動回路が非金属材料にて形成されているのは、マグネトロンを備えた加熱調理器の一般的な構成である。そのため、上記構成によると、マグネトロンを備えた加熱調理器の一般的な構成に、特別な構成を設けることなく、また、構造を変更することなく、非金属の部材にて覆われた位置に無線通信装置の設置空間を設けることができる。
【００５２】
特に、表示操作部の駆動回路の回路収納部には、加熱調理による熱の影響を低減するために冷却ファン等が設けられ、温度を下げる設計がなされている。よって、設置空間を表示操作部の駆動回路の回路収納部に設けることで、無線通信装置への熱の影響をより低減させることができる。
【００５３】
以上から分かるように、上記構成によると、加熱調理器に無線通信装置を設置するため
の特別な構成を設けることなく、また、加熱調理器の構造を変更することなく、無線通信装置を良好な通信を行える位置に設置することが可能な加熱調理器を提供することができる。また、上記設置空間に無線通信装置を設置すると、無線通信装置は、金属に覆われず、さらに、熱の影響も受けにくいため、良好な通信を行うことが可能となる。
【００５４】
本発明の態様２に係る加熱調理器（１０、１０ａ、１０ｂ）は、マグネトロン（Ｍ）を備えた加熱調理器において、被加熱物を収容する加熱庫（２ａ）と、前記加熱庫を開閉可能に設けられ、窓部（窓３ａ）及び当該窓部を囲む非金属の枠部（フレーム３ｂ）を有する扉部（ドア３）と、表示を行い操作を受け付ける表示操作部（５）と、水蒸気を発生させる蒸気発生装置（８）、及び当該蒸気発生装置に補給する水分を貯蔵する容器であり外部に取り外し可能な主に非金属からなる貯水容器（水タンク６）と、を備え、外部と通信する無線通信装置を設置するための設置空間を、前記枠部の内部に、前記表示操作部の駆動回路を収納する非金属の回路収納部に、または前記貯水容器と接する位置に、設けている。
【００５５】
上記構成によると、無線通信装置を設置するための設置空間を、非金属の枠部の内部に、表示操作部の駆動回路を収納する非金属の回路収納部に、または主に非金属からなる貯水容器と接する位置に、設ける。無線通信装置を設置するための設置空間を、非金属の枠部の内部に、表示操作部の駆動回路を収納する非金属の回路収納部に設けることによる効果は、本発明の態様１に係る加熱調理器と同様である。
【００５６】
貯水容器は、外部に取り外し可能であり主に非金属からなるため、これに接して無線通信装置の設置空間に設けた場合、ここに設置された無線通信装置は、主に非金属からなる貯水容器を通して外部と通信を行うことになる。また、貯水容器には水分が補給されるため低温である。さらに、主に非金属からなる貯水容器周囲には、一般に、加熱調理による熱の影響を低減するために冷却ファン等が設けられ、温度を下げる設計がなされている。よって、無線通信装置を設置するための設置空間を主に非金属からなる貯水容器と接する位置に設けた場合にも、無線通信装置への金属と熱の影響を低減することができる。
【００５７】
以上から分かるように、上記構成によると、マグネトロンに加え水蒸気を発生させる蒸気発生装置を備えた加熱調理器においても、無線通信装置を設置するための特別な構成を設けることなく、また、構造を変更することなく、無線通信装置が良好な通信を行える加熱調理器を提供することが可能となる。
【００５８】
本発明の態様３に係る加熱調理器は、上記態様２に係る加熱調理器において、前記貯水容器は前記加熱庫の下部に配置されており、前記貯水容器と接する位置は、前記貯水容器の上部かつ前記加熱庫の下部の位置であってもよい。
【００５９】
貯水容器の下部に無線通信装置の設置空間が配置されていると、貯水容器からの水漏れによる無線通信装置への悪影響が懸念される。しかしながら、貯水容器の上部ではそのような心配はない。また、加熱庫の下部は他より熱の影響をより受けにくい領域である。よって、上記構成によると、水分及び熱の影響をより受け難い空間を、無線通信装置の設置空間の一つとすることができる。
【００６０】
本発明の態様４に係る加熱調理器は、上記態様１から３のいずれか１つに係る加熱調理器において、前記回路収納部は前記扉部と一体に形成されていてもよい。
【００６１】
上記構成によると、回路収納部が扉部と一体に形成された加熱調理器に本発明を適用することが可能となる。
【００６２】
本発明の態様５に係る加熱調理器では、上記態様１から４のいずれか１つに係る加熱調理器において、前記無線通信装置は、無線通信回路とアンテナとが一体型の装置であってもよい。
【００６３】
上記構成によると、無線通信回路とアンテナとが一体型の装置であるため、別個に設けられている場合よりも設置空間を狭くすることができ、加熱調理器の他の構成の配置に影響を与えない。
【００６４】
本発明の態様６に係る加熱調理器は、上記態様１〜５のいずれか１つに係る加熱調理器において、前記設置空間に無線通信装置（無線通信アダプタ２０）が設置され、当該無線通信装置にて外部の通信ネットワークに接続する。
【００６５】
上記構成によると、無線通信装置により外部と良好な通信を行うことが可能な加熱調理器を構成することができる。
【００６６】
さらに、上記態様６に係る加熱調理器と、当該加熱調理器に設置された無線通信装置と通信可能な通信端末装置と、を含むネットワーク家電システムも本発明の範疇に入る。
【００６７】
本発明は上述した各実施形態に限定されるものではなく、種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６８】
本発明は、マグネトロンを備えた加熱調理器であって、無線通信装置を設置しネットワーク家電として用いられる加熱調理器等に利用することができる。
【符号の説明】
【００６９】
１，１ａ，１０，１０ａ，１０ｂ  加熱調理器
２    ケーシング
２ａ  加熱庫
３    ドア（扉部）
３ａ  窓（窓部）
３ｂ  フレーム（枠部）
６，６ａ〜６ｆ  水タンク（貯水容器）
８  蒸気発生装置
２０  無線通信アダプタ（無線通信装置）
５０  回路収納部
Ｍ    マグネトロン
【図１】
2020079702.tif 000003
【図２】
2020079702.tif 000004
【図３】
2020079702.tif 000005
【図４】
2020079702.tif 000006
【図５】
2020079702.tif 000007
【図６】
2020079702.tif 000008